(57)【要約】    【課題】  カップホルダー付アームレストにおいて、カップホルダーのフランジとそのフランジ側の表皮との間に、アームレストの外観品質を損なう隙間が発生しないようにすることである。    【手段】  アームレストの側面を構成する側面表皮３に接ぎ合わされ、側面表皮３とカップホルダー１のフランジ１１との間を被覆する上面表皮２における側面表皮に接ぎ合わされる端末を延設して延設部２３を設け、延設部２３をカップホルダー１のフランジ１１と芯材５との間に、上面表皮２と共に挟み込む。  【選択図】        図１
2009173146.tif 000002
【特許請求の範囲】
【請求項１】
フランジ付カップホルダーを上面に埋設した発泡体製パッドと、カップホルダーを除くパッドの表面を被覆する表皮材と発泡体製ワディングの積層体からなる表皮と、前記カップホルダーのフランジ下方に固設する芯材とを有するアームレストにおいて、
前記表皮はアームレストの左右両側面を形成する側面表皮と、この側面表皮に接ぎ合わされ前記カップホルダーのフランジの内面側に端末を有する上面表皮とを有し、該上面表皮における前記側面表皮に折り返して接ぎ合わせる端末に、前記カップホルダーのフランジ下方に延設して前記芯材とフランジとの間に挟み込まれる延設部を設けて、カップホルダーのフランジと上面表皮との間の隙間の発生を防止してなるカップホルダー付アームレスト。
【請求項２】
前記上面表皮の延設部はワディングのみで形成されている請求項１記載のカップホルダー付アームレスト。
【発明の詳細な説明】
【技術分野】
【０００１】
本発明は、自動車用シートに備えるカップホルダー付アームレストに関する。
【背景技術】
【０００２】
従来のこの種のアームレストには、図３に示すように、アームレストＡＲの上面に、カップなどを収容するカップホルダー１を有するものがある。図中１１はカップホルダーのフランジ、２´はカップホルダー１の左右に有する表皮の上面表皮、３はアームレストＡＲの外側面を形成する側面表皮を各々示す。
【０００３】
このアームレストＡＲは図４、図５に示すように形成されている。
即ち、フランジ１１付のカップホルダー１を上面に有する発泡体製パッド４と、カップホルダー１を除くパッド４の表面を被覆する表皮材と発泡体製ワディングの積層体からなる表皮２、３…と、前記カップホルダー１のフランジ１１下方に固設する芯材５とを有す
る構造である。
【０００４】
そして、前記表皮にはアームレストの左右両側面を形成する側面表皮３と、この側面表皮３に接ぎ合わされ前記カップホルダー１のフランジ１１の内面側に端末を有する上面表皮２´とを有する構成である。
【０００５】
以上の上面表皮２´と側面表皮３は図４、図５に示すように接ぎ合わされ、上面表皮２´は芯材５に支持され、一端末はカップホルダー１のフランジ１１の下方内部に収容されている。
【０００６】
なお、上面表皮２´と側面表皮３は表皮材２１´、３１と、この表皮材２１´、３１に一体に接着する発泡体製ワディング２２´、３２とからなる積層体で、縫糸２０２で両者は接ぎ合わされている。図中２０１、２０３は上面表皮で、側面表皮３´の接ぎ合わせ部分の折り返した端末を一体に縫着する縫糸を示す。
【０００７】
図４、図５において、図中４はアームレストＡＲの発泡体製パッドを示し、このパッド４に前記芯材５が一体若しくは別体に固設され、また、前記カップホルダー１もパッド４に固定されている。
【０００８】
以上の如く、カップホルダー１のフランジ１１の周囲に位置する上面表皮２´に、皺、タルミなど発生しないようにしてアームレストＡＲの外観品質を向上させている。
【０００９】
一方、斯様にカップホルダーの周囲の外観品質を向上させるものとして、カップホルダーの周囲に位置する表皮にプレートを設けたものが開示されている(例えば特開２００５−１３６２２号公報)。
【００１０】
【特許文献１】特開２００５−１３６２２号公報
【発明の開示】
【発明が解決しようとする課題】
【００１１】
前記図３−図５に示す従来品は、上面表皮２´に皺、タルミの発生を防止できるが、上面表皮２´とカップホルダー１のフランジ１１との間に隙間Ｈが生じる。
【００１２】
これは芯材５とフランジ１１の先端とによる上面表皮２´の挟持力が弱いためである。
しかし、この挟持力を高めるために芯材５の配設位置を、フランジ１１の先端方向に引き上げて近づけると、フランジ１１が持ち上がり、前記外観品質を損なう隙間Ｈの発生を防止することができない。
【００１３】
一方、前記特開２００５−１３６２２号公報などに開示されている従来品はアームレストの上面に有するカップホルダーのフランジとアームレストの側面との間が狭く、その間を被覆する表皮を芯材と、フランジとで挟持するものにおいては、全く利用できない。これは表皮の内側にプレートを設けているため、プレートと芯材との接触による異音などが発生し、アームレストの側面を構成する表皮に接ぎ合わせることができないためである。
【００１４】
そこで、本発明は前記各従来品による不具合を解消することを目的とする。
【課題を解決するための手段】
【００１５】
以上の目的を達成するための本発明に係るカップホルダー付アームレストは、フランジ付カップホルダーを上面に埋設する発泡体製パッドと、カップホルダーを除くパッドの表面を被覆する表皮材と、発泡体製ワディングの積層体からなる表皮と、前記カップホルダーのフランジ下方に固設する芯材とを有するアームレストにおいて、前記表皮はアームレストの左右両側面を形成する側面表皮と、この側面表皮に接ぎ合わされ前記カップホルダーのフランジの内面側に端末を有する上面表皮とを有し、該上面表皮における前記側面表皮に折り返して接ぎ合わせる端末に、前記カップホルダーのフランジ下方に延設して前記芯材とフランジとの間に挟み込まれる延設部を設けて、カップホルダーのフランジと上面表皮との間の隙間の発生を防止してなる構成である。
【００１６】
そして、前記上面表皮の延設部はワディングのみで形成するようにするのが好ましい。
【発明の効果】
【００１７】
本発明によれば、カップホルダーのフランジと芯材との間に上面表皮の延設部が介在するため、この延設部を構成するワディングの弾力によって、カップホルダーのフランジと上面表皮の表面との間に前記隙間が発生しない。
【００１８】
加えて、従来品の上面表皮の端末に延設部を延長すればよいため、構造が簡単で低原価で提供できる。
【発明を実施するための最良の形態】
【００１９】
以下、本発明の実施の一例を図１、図２に基づいて説明する。
図１は、本発明の要部を示し、本発明は前記従来品に対して上面表皮２の側面表皮３側の端末に、延設部２３を設け、この延設部２３を前記芯材５で挟みこむようにした構造である。  
【００２０】
即ち、延設部２３を除く部分は前記図３−図５に示す従来品と同一構造であり、その説明を省略する。
【００２１】
図示する延設部３は無於をなくすため、表皮材２１と発泡体製ワディング２１の積層体からなる上面表皮２におけるワディング２１のみを延長したものであるが、両者とも延長して延設部３としてもよい。
【００２２】
前記上面表皮２は前記従来品と同様に、側面表皮３側の端末を折り返し、その折り返した表皮材２１Ａ、ワディング２２Ａを縫糸２０１で一体に縫着すると共に縫糸２０２で側面表皮３を接ぎ合わせるが、上面表皮２の折り返したワディング２２Ａには前記延設部２３が一体に設けてある。
【００２３】
この延設部２３は芯材５に支持される位置までワディング２２Ａを延長して形成している。
【００２４】
図２は表皮材２１とワディング２２とを積層して上面表皮２を形成する前の状態を示す。
【００２５】
この表皮材２１にはカップホルダー１が埋設できるように、スリット２１Ｂ、２１Ｂ…がＨ字状に設けてあり、その幅Ｗ２(略図1に示すアームレストＡＲの上面における短手方向の幅)は全体に均一に形成されている。この図示する表皮材２１の左右端末２１Ｃ、２１Ｃが前記側面表皮３に接ぎ合わされる。
【００２６】
一方、この表皮材２１の裏面に接着されるワディング２２は、その幅Ｗ２が表皮材２１の幅Ｗ２と同一であるが、カップホルダー１を埋設する部分の幅Ｗ１は前記延設部２３、２３分広く裁断されている。
図中２２Ｂは、カップホルダー１を挿着するための窓孔、２３Ｃ、２３Ｃは、このワディング２２に延設した延設部２３、２３の端末、２２Ｃ、２２Ｃは窓孔２２Ｂの左右の端末を各々示す。
【００２７】
従って、前記延設部２３は図１に示すように、芯材５に支持され、上面表皮2と共に、芯材５とカップホルダー１のフランジ１１に挟持される。
なお、上面表皮２はパッド４は接着して固定してもよい。
【００２８】
そのため、延設部２３の弾性により、上面表皮２とカップホルダー１のフランジ１１との間に、アームレストＡＲの外観品質を損なう隙間が発生しない。
【００２９】
なお、芯材５はワイヤなどの剛性部材で、カップホルダー１の周縁に沿って環状に、且つ、パッド４に一体に埋設、若しくはパッド４に連結部材を介して取付けられている。
【図面の簡単な説明】
【００３０】
【図１】本発明の要部の断面図。
【図２】本発明に使用する上面表皮の分解平面図。
【図３】従来のカップホルダー付アームレストの斜視図。
【図４】図３のＩＶ−ＩＶ線断面図。
【図５】図４のＡ部の拡大図。
【符号の説明】
【００３１】
１…カップホルダー、１１…カップホルダーのフランジ、２…上面表皮、２１…表皮材、２２…ワディング、２３…延長部、３…側面表皮、４…パッド、５…芯材。
【図１】
2009173146.tif 000003
【図２】
2009173146.tif 000004
【図３】
2009173146.tif 000005
【図４】
2009173146.tif 000006
【図５】
2009173146.tif 000007